【手続補正書】
【提出日】平成22年9月14日(2010.9.14)
【手続補正１】
【補正対象書類名】特許請求の範囲
【補正対象項目名】全文
【補正方法】変更
【補正の内容】
【特許請求の範囲】
【請求項１】
被写体を撮像することによりスルー画像データ及び画像データを取得する撮像手段と、
前記スルー画像データから顔を検出する顔検出手段と、
前記撮像手段により取得された、前記顔を含む第一の画像データを記録した記録手段とを備えてなる撮像装置において、
前記記録された第一の画像データに含む顔のサイズ及び該顔の横向き角度を算出し、前記顔のサイズを同一とし、かつ前記顔の横向き角度とは異なる角度になるように前記第一の画像データを変換することにより疑似三次元顔画像を生成するために用いる参考画像データを生成する参考画像生成手段と、
前記顔検出手段により新たに顔が検出された際に、該新たな顔を含むスルー画像データと、前記参考画像データとの相関値を算出し比較する比較手段と、
該比較手段により比較された相関値が所定の値より高い際に、前記撮像手段により前記新たな顔を含む第二の画像データを取得可能とする制御手段と、
前記撮像手段により取得された第二の画像データと、前記記録された第一の画像データから疑似三次元顔画像を生成する疑似三次元顔画像生成手段と、を備えたことを特徴とする撮像装置。
【請求項２】
被写体を撮像することによりスルー画像データ及び画像データを取得する撮像手段と、
前記スルー画像データから顔を検出する顔検出手段と、を備えてなる撮像装置において、
疑似三次元顔画像を生成するために用いる第一と第二の参考画像データを予め記録する記録手段と、
前記顔検出手段により検出された顔を含むスルー画像データと、前記記録された第一の参考画像データとの相関値を算出し、また、該算出された相関値が所定の値より高い際に、前記撮像手段により取得された前記顔を含む第一の画像データと、
前記顔検出手段により検出された新たな顔を含むスルー画像データと、前記記録された第二の参考画像データとの相関値を算出し、該算出された相関値が所定の値より高い際に、前記撮像手段により取得された前記新たな顔を含む第二の画像データと、から疑似三次元顔画像を生成する疑似三次元顔画像生成手段と、を備えたことを特徴とする撮像装置。
【請求項３】
前記スルー画像データを表示する表示手段を更に備え、
該表示手段が、前記顔検出手段により顔が検出された際に、前記スルー画像データ上に前記参考画像データのいずれかを重ねて表示することを特徴とするものである請求項２記載の撮像装置。
【請求項４】
前記表示手段に表示される参考画像データを予め選択可能な選択手段を更に備えることを特徴とする請求項３記載の撮像装置。
【請求項５】
前記スルー画像データを表示する表示手段と、
前記顔検出手段により顔が検出された際に、該顔を含むスルー画像データに対して輪郭抽出することで輪郭画像を生成する輪郭画像生成手段と、
該輪郭画像に所定の画像処理を施し、変形マスク画像を生成するマスク生成手段と、を更に備え、
前記表示手段が、前記スルー画像データ上に前記変形マスク画像を重ねて表示することを特徴とするものである請求項２記載の撮像装置。
【請求項６】
疑似三次元顔画像を生成するために用いる参考画像データの三次元データから前記第一と第二の参考画像データを生成するように変換する参考画像変換手段を更に備え、
前記記録手段は、前記参考画像変換手段により変換された第一と第二の参考画像データ及び前記三次元データを記録するものであることを特徴とする請求項２記載の撮像装置。
【請求項７】
前記スルー画像データを表示する表示手段と、
前記参考画像変換手段により変換された第一と第二の参考画像データのいずれかの参考画像データに対して輪郭抽出することで輪郭画像を生成する輪郭画像生成手段と、
該輪郭画像に所定の画像処理を施し、変形マスク画像を生成するマスク生成手段と、を更に備え、
前記表示手段が、前記スルー画像データ上に前記変形マスク画像を畳重ねて表示することを特徴とするものである請求項６記載の撮像装置。
【請求項８】
被写体を撮像することによりスルー画像データを取得し、
前記スルー画像データから顔を検出し、
該検出された顔を含む第一の画像データを取得した撮像方法において、
該取得した第一の画像データに含む顔のサイズ及び該顔の横向き角度を算出し、前記顔のサイズを同一とし、かつ前記顔の横向き角度とは異なる角度になるように前記第一の画像データを変換することにより疑似三次元顔画像を生成するために用いる参考画像データを生成し、
新たな顔が検出された際に、該新たな顔を含むスルー画像データと、前記参考画像データとの相関値を算出し比較し、
該比較された相関値が所定の値より高い際に、前記新たな顔を含む第二の画像データを取得し、前記取得された第一の画像データと第二の画像データから疑似三次元顔画像を生成することを特徴とする撮像方法。
【請求項９】
被写体を撮像することによりスルー画像データを取得し、
前記スルー画像データから顔を検出する撮影方法において、
疑似三次元顔画像を生成するために用いる第一と第二の参考画像データを予め記録し、
前記顔が検出された際に、該検出された顔を含むスルー画像データと、前記記録された第一の参考画像データの相関値を算出し、また、該算出された相関値が所定の値より高い際に、第一の画像データを取得し、
前記新たな顔が検出された際に、該新たな顔を含むスルー画像データと、前記記録された第二の参考画像データの相関値を算出し、該算出された相関値が所定の値より高い際に、前記新たな顔を含む第二の画像データを取得し、
前記第一の画像データと前記第二の画像データから疑似三次元顔画像を生成することを特徴とする撮像方法。
【請求項１０】
被写体を撮像することによりスルー画像データ及び画像データを取得する機能と、
前記スルー画像データから顔を検出する機能と、
該検出された顔を含む第一の画像データを記録した機能をコンピュータに実行させるためのプログラムにおいて、
前記記録された第一の画像データに含む顔のサイズ及び該顔の横向き角度を算出し、前記顔のサイズを同一とし、かつ前記顔の横向き角度とは異なる角度になるように前記第一の画像データを変換することにより疑似三次元顔画像を生成するために用いる参考画像データを生成する機能と、
前記新たに顔が検出された際に、該新たな顔を含むスルー画像データと、前記参考画像データとの相関値を算出し比較する機能と、
該比較された相関値が所定の値より高い際に、前記新たな顔を含む第二の画像データを取得し、前記記録された第一の画像データと前記取得された第二の画像データから疑似三次元顔画像を生成する機能とをコンピュータに実行させることを特徴とするプログラム。
【請求項１１】
被写体を撮像することによりスルー画像データ及び画像データを取得する機能と、
前記スルー画像データから顔を検出する機能をコンピュータに実行させるためのプログラムにおいて、
疑似三次元顔画像を生成するために用いる第一と第二の参考画像データを予め記録する機能と、
前記顔が検出された際に、該検出された顔を含むスルー画像データと、前記記録された第一の参考画像データの相関値を算出し、また、該算出された相関値が所定の値より高い際に、前記顔を含む第一の画像データを取得し、
前記新たに顔が検出された際に、該新たに検出された顔を含むスルー画像データと、前記記録された第二の参考画像データの相関値を算出し、該算出された相関値が所定の値より高い際に、前記顔を含む第二の画像データを撮像し、前記第一の画像データと前記第二の画像データから疑似三次元顔画像を生成する機能とをコンピュータに実行させることを特徴とするプログラム。